(57)【要約】【課題】取扱性が良好であり、容易に製造できる杖保持具を提供する。【解決手段】杖保持具１１は、机の天板部上に載置して使用するものである。杖保持具１１は、机の天板部上に載置するゴム製の載置部１６と、杖を保持するゴム製の保持部１７とを備える。載置部１６および保持部１７は、ゴム材料にて基体２０にインサート成形により一体的に形成する。【選択図】        図１
2004350970.tif 000002
【特許請求の範囲】
【請求項１】
被載置部上に載置して使用する杖保持具であって、
前記被載置部上に載置される載置部と、
杖を保持する保持部とを備え、
前記載置部および前記保持部が、基体にインサート成形により形成されている
ことを特徴とする杖保持具。
【請求項２】
被載置部上に載置して使用する杖保持具であって、
前記被載置部上に載置されるゴム製の載置部と、
杖を保持するゴム製の保持部とを備え、
前記載置部および前記保持部が、ゴム材料にて基体にインサート成形により形成されている
ことを特徴とする杖保持具。
【請求項３】
基体は、第１板部およびこの第１板部の後端部から下斜め後方に向って突出した第２板部を有し、
前記第２板部には、左側方および右側方のいずれか一方に向って開口した略Ｕ字状のＵ字状部が形成され、
載置部は、前記第１板部の下面にインサート成形により形成され、
保持部は、前記第２板部の前記Ｕ字状部の表面にインサート成形により形成されている
ことを特徴とする請求項１または２記載の杖保持具。
【発明の詳細な説明】
【０００１】
【発明の属する技術分野】
本発明は、被載置部上に載置して使用する杖保持具に関する。
【０００２】
【従来の技術】
従来、例えば机、椅子等の取付対象物に帯状物（面ファスナ等）を介して取り付けて使用するタイプの杖保持具が知られている（例えば、特許文献１参照。）。
【０００３】
【特許文献１】
特開２００２−１６５６９４号公報（第２頁、図１）
【０００４】
【発明が解決しようとする課題】
しかしながら、上記従来の杖保持具では、机、椅子等の取付対象物に対する着脱が面倒なため、取扱性が良くないという問題がある。
【０００５】
そこで、図６に示すような、机の天板部等の被載置部（図示せず）上に載置して使用するタイプの杖保持具１が知られている。
【０００６】
この図６に示す杖保持具１は、第１板部３およびこの第１板部３の後端部から下斜め後方に向って突出した第２板部４を有する基体５を備えている。
【０００７】
そして、基体５の第１板部３の下面全体にはクッション製のシート部材６が接着剤により貼着され、このシート部材６にて被載置部（図示しない）上に載置される載置部７が構成されている。また、基体５の第２板部４には左側方に向って開口した略Ｕ字状のＵ字状部８が形成され、このＵ字状部８にはゴム製のＵ字状部材９が嵌着され、このＵ字状部材９にて杖（図示せず）を保持する保持部１０が構成されている。
【０００８】
しかしながら、この図６に示す杖保持具１では、シート部材６の貼着およびＵ字状部材９の嵌着に手間がかかるため、製造が容易でないという問題がある。
【０００９】
本発明は、このような点に鑑みなされたもので、取扱性が良好であり、容易に製造できる杖保持具を提供することを目的とする。
【００１０】
【課題を解決するための手段】
請求項１記載の杖保持具は、被載置部上に載置して使用する杖保持具であって、前記被載置部上に載置される載置部と、杖を保持する保持部とを備え、前記載置部および前記保持部が、基体にインサート成形により形成されているものである。
【００１１】
そして、被載置部上に載置して使用できるため、取扱性が良好であり、しかも、シート部材の貼着等に手間を要することがなく、製造が容易である。
【００１２】
請求項２記載の杖保持具は、被載置部上に載置して使用する杖保持具であって、前記被載置部上に載置されるゴム製の載置部と、杖を保持するゴム製の保持部とを備え、前記載置部および前記保持部が、ゴム材料にて基体にインサート成形により形成されているものである。
【００１３】
そして、被載置部上に載置して使用できるため、取扱性が良好であり、しかも、シート部材の貼着等に手間を要することがなく、製造が容易であり、また、載置部および保持部がそれぞれゴム製であるため、杖を確実に安定して保持することが可能となる。
【００１４】
請求項３記載の杖保持具は、請求項１または２記載の杖保持具において、基体は、第１板部およびこの第１板部の後端部から下斜め後方に向って突出した第２板部を有し、前記第２板部には、左側方および右側方のいずれか一方に向って開口した略Ｕ字状のＵ字状部が形成され、載置部は、前記第１板部の下面にインサート成形により形成され、保持部は、前記第２板部の前記Ｕ字状部の表面にインサート成形により形成されているものである。
【００１５】
そして、基体の第１板部の下面にインサート成形により形成された載置部を被載置部上に載置し、基体の第２板部のＵ字状部の表面にインサート成形により形成された保持部に杖を保持させることで、杖を適切に保持することが可能となる。
【００１６】
【発明の実施の形態】
以下、本発明の杖保持具の一実施の形態の構成を図面を参照して説明する。
【００１７】
図１および図２において、１１はインサート成形品である杖保持具（杖休め）で、この杖保持具１１は、例えば机の天板部（被載置部）１２上に載置して使用するタイプのものである。すなわち、この杖保持具１１は、例えば杖１３の助けを必要とする足腰の弱い老人が飲食店等において着席した際に机（テーブル）の天板部１２上に載置し、持っていた杖１３を引掛けて使用するものである。
【００１８】
この杖保持具１１は、机の天板部１２上に載置される柔軟性を有する弾性変形可能なゴム製の載置部１６を備えている。また、この杖保持具１１は、杖１３の杆部１３ａの上部外周面と接触し、杖１３を吊下げ状態に保持する柔軟性を有する弾性変形可能なゴム製の保持部１７を備えている。
【００１９】
そして、少なくとも載置部１６および保持部１７は、柔軟で摩擦係数の高い透明な弾性材料であるゴム材料例えばサーモプラスチックレジン（ＴＰＲ）にて、プラスチック製の基体（ベース板）２０の表面にインサート成形により一度に一体的に形成されている。
【００２０】
ここで、基体２０の全体は、前記ゴム材料（載置部１６および保持部１７）より硬くかつ摩擦係数の低い材料、例えばプラスチックにて板状に一体に形成され、側面視で略へ字状をなすものである。
【００２１】
この基体２０は、前側の第１板部２１と、後側の第２板部２２とにて構成されている。すなわち、この基体２０は、略矩形状の第１板部２１と、この第１板部２１の後端部から下斜め後方に向って一体に突出した第２板部２２とを有している。
【００２２】
また、前側の第１板部２１には、左右方向に長手状をなす位置決め用の長孔部２３が上下に貫通して形成されている。なお、この長孔部２３は、杖保持具１１の製造時に基体２０を金型に対して位置決めするためのものであるが、例えば長孔部２３に紐を通す等して杖保持具１１の携帯の容易化を図ることもできる。
【００２３】
さらに、後側の第２板部２２には、左側方に向って開口した略Ｕ字状のＵ字状部２４が形成されている。このＵ字状部２４は、左端ほど前後方向の開口幅が大きい開口部分２５の周囲に位置してこの開口部分２５に臨んでいる。この開口部分２５の最大の開口幅は、杖１３の杆部１３ａの直径より大きい寸法となっている。
【００２４】
そして、載置部１６は、基体２０の第１板部２１の下面における周縁位置にインサート成形により環状に形成されている。この基体２０の第１板部２１の上面における周縁位置には、上面覆い部３１がインサート成形により載置部１６に連続して環状に形成されている。なお、載置部１６と上面覆い部３１とにて、基体２０の第１板部２１のうち上下の表面中央側以外の部分の表面全体が覆われている。
【００２５】
また、保持部１７は、基体２０の第２板部２２のＵ字状部２４の表面全体にこのＵ字状部２４に沿ってインサート成形により形成されている。この基体２０の第２板部２２のうちＵ字状部２４以外の部分の表面全体には、表面覆い部３２がインサート成形により保持部１７に連続して形成されている。なお、保持部１７と表面覆い部３２とにて、基体２０の第２板部２２の表面全体が覆われている。
【００２６】
なお、載置部１６、上面覆い部３１、保持部１７および表面覆い部３２にて、前記ゴム材料からなり基体２０より柔軟で摩擦係数の高い弾性変形可能な弾性表面部である弾性部３３が構成されている。すなわち、杖保持具１１は、柔軟性を有する厚さが略一定のゴム製の弾性部３３をプラスチック製の板状の基体２０の表面にインサート成形により一体的に形成したインサート成形品である。
【００２７】
次に、上記杖保持具１１の製造方法について説明する。
【００２８】
まず、図３に示すように、基体２０を金型（図示せず）を用いてプラスチックにて２つ１組として形成し、その後、切断装置（図示せず）を用いて、両基体２０を連結した連結部（ランナー）２０ａを切り取る。
【００２９】
次いで、図４に示す下金型４１上に基体２０を２つセットする。すなわち、下金型４１の被載置板部４２上に基体２０の第１板部２１を載置し、下金型４１の位置決め凸部４３を長孔部２３に嵌め込む。
【００３０】
その後、図５に示すように、下金型４１上に上金型４６をセットし、両金型４１，４６間に基体２０を位置させる。こうして、基体２０が、金型４１，４６との間に間隔を保った状態として、金型４１，４６内に装填される。
【００３１】
次いで、溶融したゴム材料（溶融樹脂）を上金型４６の注入口４７から注入し、そのゴム材料で基体２０と金型４１，４６との間の間隔を埋める。そして、このゴム材料が固化することにより、ゴム製の弾性部３３がプラスチック製の基体２０の表面に一体的に形成され、こうして杖保持具１１がインサート成形品として製造される。
【００３２】
次に、上記杖保持具１１の使用方法について説明する。
【００３３】
例えば杖１３の助けを必要とする足腰の弱い老人が飲食店等において着席した場合、その老人は、まず、杖保持具１１の載置部１６を机の天板部１２の端縁上に載置し、載置部１６の下面と天板部１２の端縁上面とを接触させる。なお、この載置部１６を天板部１２上に載置した状態では、杖保持具１１の保持部１７側は、机の天板部１２の端縁から突出して位置する。
【００３４】
次いで、杖１３の杆部１３ａを杖保持具１１に対して左側から保持部１７内の開口部分２５に挿入し、保持部１７に杖１３を吊下保持させる（図２参照）。
【００３５】
なお、杖１３の杆部１３ａを開口部分２５に挿入して保持部１７に引掛けると、杖保持具１１は、杖１３の重量により載置部１６の後端を中心として回動し、載置部１６の後端以外の部分が天板部１２の上面から離反した状態となって安定する。このとき、載置部１６と天板部１２との間には所望の摩擦力が生じるため、杖保持具１１が天板部１２上から滑り落ちるようなことがなく、また保持部１７と杆部１３ａとの間にも所望の摩擦力が生じるため、杖１３が保持部１７から抜け落ちるようなこともなく、こうして杖１３が杖保持具１１にて安定的に保持される。
【００３６】
そして、上記杖保持具１１によれば、机の天板部１２上に載置して使用できるため、従来とは異なり面ファスナ等の帯状物を用いて固定したりその固定を解除したりする必要がなく、取扱性が良好であり、老人でも確実に使用できる。
【００３７】
また、杖保持具１１はインサート成形より一体化したインサート成形品であることから、従来とは異なりシート部材６が接着剤により貼着したりＵ字状部材９が嵌着したりする必要がないため、そのシート部材６の貼着等に手間を要することもなく、容易かつ低コストで製造でき、しかも、仕上がりが綺麗で、長期にわたって品質を維持でき、さらには、コストをかけずに容易に装飾性を向上させることができる。
【００３８】
なお、杖保持具１１は、机の天板部１２上に載置して使用する場合以外に、例えば椅子の肘掛部上に載置して使用したり、ベットのフレーム部上に載置して使用したりすることもできる。
【００３９】
また、杖保持具１１は、載置部１６および保持部１７を含んだ弾性部３３を基体２０にインサート成形により形成したものには限定されず、例えば載置部１６および保持部１７のみを基体２０にインサート成形により形成したもの等でもよい。
【００４０】
さらに、杖保持具１１は、左側方に向って開口したＵ字状部（保持部１７）２４を備えたものには限定されず、例えば右側方に向って開口したＵ字状部（保持部）を備えたものでもよい。
【００４１】
【発明の効果】
請求項１の発明によれば、被載置部上に載置して使用できるため、取扱性が良好であり、しかも、シート部材の貼着等に手間を要することがなく、容易に製造できる。
【００４２】
請求項２の発明によれば、被載置部上に載置して使用できるため、取扱性が良好であり、しかも、シート部材の貼着等に手間を要することがなく、容易に製造でき、また、載置部および保持部がそれぞれゴム製であるため、杖を確実に安定して保持できる。
【００４３】
請求項３の発明によれば、基体の第１板部の下面にインサート成形により形成された載置部を被載置部上に載置し、基体の第２板部のＵ字状部の表面にインサート成形により形成された保持部に杖を保持させることで、杖を適切に保持することができる。
【図面の簡単な説明】
【図１】本発明の杖保持具の一実施の形態を示す斜視図である。
【図２】同上杖保持具の使用状態を示す側面図である。
【図３】同上杖保持具の製造途中の基体を示す斜視図である。
【図４】同上杖保持具の製造のための下金型を示す斜視図である。
【図５】同上杖保持具を金型内にセットとした状態を示す断面図である。
【図６】従来の杖保持具を示す斜視図である。
【符号の説明】
１１    杖保持具
１２    被載置部である机の天板部
１３    杖
１６    載置部
１７    保持部
２０    基体
２１    第１板部
２２    第２板部
２４    Ｕ字状部
【図１】
2004350970.tif 000003
【図２】
2004350970.tif 000004
【図３】
2004350970.tif 000005
【図４】
2004350970.tif 000006
【図５】
2004350970.tif 000007
【図６】
2004350970.tif 000008